(57)【要約】【課題】ベルト部の左巻きの人のためのみならず、右巻きの人のために目盛の上下に表示する数値を上下に反転させて、左利きとか右利きに関係なく数値を正置させて、ベルトの使用の如何に問わず使用感を良好にして、常に胴廻りの太さを注意して健康管理を行えるようにした被服用胴廻り目盛付ベルトの提供。【解決手段】掛止めないし摺止部を備えるバックル１ないし飾り止片を一側に有し、前記バックル１ないし飾り止片に連結させたベルト部２より成る被服用胴廻り目盛付ベルトであって、前記ベルト部２の内側に沿って、バックル１ないし飾り止片の端部から胴廻りを計測する目盛３を設け、この目盛３の数値５ａ，５ｂを目盛位置の上下２箇所に表示位置を上下反転させて設けて成ることを特徴とする被服用胴廻り目盛付ベルト。【選択図】図２
0003141732.tif 000002
【実用新案登録請求の範囲】
【請求項１】
掛止めないし摺止部を備えるバックルないし飾り止片を一側に有し、前記バックルないし飾り止片に連結させたベルト部より成る被服用胴廻り目盛付ベルトであって、前記ベルト部の内側に沿って、バックルないし飾り止片の端部から胴廻りを計測する目盛を設け、この目盛の数値を目盛位置の上下２箇所に表示位置を上下反転させて設けて成ることを特徴とする被服用胴廻り目盛付ベルト。
【請求項２】
数値を表示した目盛は、テープ体に形成してベルト部の内側に貼着剤を介して貼接できるようにして成ることを特徴とする請求項１記載の被服用胴廻り目盛付ベルト。
【考案の詳細な説明】
【技術分野】
【０００１】
本考案は、常時、胴廻り大きさを計測できる被服用胴廻り目盛付ベルトに関する。
【背景技術】
【０００２】
一般に、ズボンのベルトやスカート，ワンピースなどの装飾用ベルトが広く用いられている。
【０００３】
最近、食生活の著しい向上と、美味で栄養価の高い食物の氾濫に起因して、体力の逓増と併せて体重の増加が加速的に増え、メタボリック症候群となって高血圧，糖尿病などの成人病患者が増加して重大な社会的問題となっている。
【０００４】
これを改善するために、男女に用いられている被服用胴廻り目盛付ベルトが提案されている（例えば、特許文献１および２参照）。
【０００５】
すなわち、常にベルト着用中に身体の胴廻りを自ら計測して、運動の啓蒙並びに食事の量の軽減を目指して健康な体形の維持と体重の保持に留意するように努力させている。
【特許文献１】特開２００１−３３３８０４号公報
【特許文献２】実開平６−２２３２３号公報
【考案の開示】
【考案が解決しようとする課題】
【０００６】
上記、先行例の特許文献１および２によれば、いずれも目盛の表示は見受けられるが数値は示されておらず、専ら、バックルに設けられた指標の指示する数値のない目盛によって知るようになっている（特許文献１）。
【０００７】
または、一般の長さ計測用のメジャーとか歩数計，温度計，或は時計などを組込んであり、胴廻りの長さのみを計測するものは認められない（特許文献２）。
【０００８】
さらに、この種のベルトは通常では左回りにベルト部を身体に巻いて、身体の正面ではバックルに対して右側からベルト部を挿し込んで使用に供するが、人によっては右回りにベルト部を巻き、バックルに対して左側から挿し込んで使用する場合もあると謂われている。
【０００９】
本考案は叙上の点に着目して成されたもので、ベルトのベルト部の裏側には単なる目盛だけではなく、胴廻りの太さを表示する数値を明示すると共に、ベルト部の左巻きの人のためのみならず、右巻きの人のために目盛の上下に表示する数値を上下に反転させて、左利きとか右利きに関係なく数値を正置させて、ベルトの使用の如何に問わず使用感を良好にして、常に胴廻りの太さを注意して健康管理を行えるようにした被服用胴廻り目盛付ベルトを提供することを目的とする。
【課題を解決するための手段】
【００１０】
本考案は、以下の構成により、上記課題を解決できる。
【００１１】
（１）掛止めないし摺止部を備えるバックルないし飾り止片を一側に有し、前記バックルないし飾り止片に連結させたベルト部より成る被服用胴廻り目盛付ベルトであって、前記ベルト部の内側に沿って、バックルないし飾り止片の端部から胴廻りを計測する目盛を設け、この目盛の数値を目盛位置の上下２箇所に表示位置を上下反転させて設けて成ることを特徴とする被服用胴廻り目盛付ベルト。
【００１２】
（２）数値を表示した目盛は、テープ体に形成してベルト部の内側に貼着剤を介して貼接できるようにして成ることを特徴とする前記（１）記載の被服用胴廻り目盛付ベルト。
【考案の効果】
【００１３】
本考案によれば、ズボン，スカートなどの装飾用ベルトは勿論のこと、各種被服用胴廻り目盛付ベルトを着用する際、常に胴廻りの大きさを目盛と数値で確認できると共に、右利き，左利きの別なく、着用時、使用者は常に正置の状態で数値を認知でき、計測し易く極めて便利であり、常に健康に留意して快適に生活できる利点を有する。
【考案を実施するための最良の形態】
【００１４】
以下本考案を実施するための最良の形態を、実施例により詳しく説明する。
【実施例】
【００１５】
以下に本考案の実施例を図面と共に説明する。
【００１６】
各図において、１は摺止部を有するバックル、２はこのバックルに一端に固着した革などのベルト部を示す。３はベルト部２の内側に設けた胴廻り計測用の目盛を示し、基点はバックル１の挿込孔４の端縁４ａとし、この端縁４ａよりベルト部２の内側に沿って正確にセンチメートル，インチなどの計数単位の下に目盛３を設ける。
【００１７】
５ａ，５ｂは、前記目盛３の上下に設けた数値であり、夫々同一の数値を上下反転して、１目盛に対して上下２箇所に設ける。
【００１８】
すなわち、バックル１をベルト部２に対して右側に臨ませて、ベルトとして使用する人（右利きという）には各目盛３の上側の数値５ａが正置されて読み取ることができる（図２参照）。また反対にバックル部２をベルト部２に対して左側に臨ませてベルトとして使用する人（左利きという）にも各目盛３の上側に表われる数値５ｂが正置されて読み取ることができる。
【００１９】
そして、被服用ベルトとして着用する際、図３（ａ）のように、右利きの場合も、図３（ｂ）のように左利きの場合、常に着用者はバックル１の部分の基点の端縁４ａと重なるベルト部２の目盛３を合わせることにより、常に自分の胴廻りの大きさを上側に示される数値５ａ又は５ｂによって計測して認知できる。
【００２０】
ベルトの使用が右利きの場合でも左利きの場合でも、常に計測する目盛３の数値は、常にベルト部２の表面の上側の正置状態で示されるので、数値が読み易く、間違うおそれも生じない。
【００２１】
なお、図示ではベルト部２の頭部にバックル１を用いているが、これに代えて環体と軸ピン方式の掛止め構成の飾り止片を用いて、ベルト部２の必要箇所に軸ピンの係止孔を散設したベルトにも同様に実施できる。
【００２２】
この場合、胴廻り計測の零基点は、飾り止片の環体の先端位置として設定するのが好ましい。
【００２３】
さらに、ベルト部に設けられる目盛３は、予め帯状の可撓性材料、例えばビニールなどのテープ体に目盛と上下反転した数値を印刷して置き、この可撓性材料に粘着性によって既存の一般ベルトの裏側に貼着させて使用することもできる（図示せず）。
【００２４】
また、目盛３はその数値５ａ，５ｂを短尺な箇所での表記を省き、３０センチメートル以上より１５０センチメートル位までに表示することもできる。
【図面の簡単な説明】
【００２５】
【図１】本考案に係る被服用胴廻り目盛付ベルトの使用状態の一実施例を示す斜面図
【図２】（ａ）は右利きの場合の被服用胴廻り目盛付ベルトの一部を拡大して示す平面図、（ｂ）は左利きの場合の被服用胴廻り目盛付ベルトの一部を拡大して示す平面図
【図３】（ａ）は図２（ａ）の使用状態の一部の斜面図、（ｂ）は図２（ｂ）の使用状態の一部の斜面図
【符号の説明】
【００２６】
１    バックル
２    ベルト部
３    目盛
４    挿込孔
４ａ  端縁
５ａ，５ｂ    数値
【図１】
0003141732.tif 000003
【図２】
0003141732.tif 000004
【図３】
0003141732.tif 000005